(57)【要約】      （修正有） 【課題】固形食品のスナックを手を汚さずに取り出せるパッケージを提供する。【解決手段】パッケージは、収納袋２と収納袋内に収納される所定量の固形食品を有する。収納袋は、プラスチック材料製のフレキシブルな２枚のラミネート片を有する。２枚のラミネート片は、所定量の固形食品を間に挟んで配置され、周辺領域５で結合され、所定量の固形食品を収納する第１気密室を形成する。更に収納袋を手で切り裂くことが可能な開放容易化領域を有する。小分け品３を構成する固形食品の一部は、平均厚さと平均幅を有する細長片を形成し収納袋内に配置される。平均厚さは平均幅の２０％以上である。収納袋が開放容易化領域を介して引き裂かれ、気密領域の他方の端部に隣接する収納袋の領域を手で押すことで、固形食品の一部が開放端６から徐々に押し出される。【選択図】図５
0003215949.tif 000002
【実用新案登録請求の範囲】
【請求項１】
固形食品のスナックを収納するパッケージにおいて、
収納袋（２）と前記収納袋（２）内に収納される所定量の固形食品を有し、
前記収納袋（２）は、プラスティック材料製のフレキシブルな２枚のラミネート片（２ａ，２ｂ）から構成され、前記２枚のラミネート片は、前記所定量の固形食品を間に挟んで配置され、周辺領域（５）で結合され、その結果前記所定量の固形食品を含む第１気密室（２０）が形成され、更に、前記収納袋（２）を手で切り裂くことが可能な開放容易化領域（４）を有し、
前記所定量の固形食品の一部は、固形食品の一部の小分け品（３）であり、
前記小分け品（３）は、平均厚さ（Ｇ）と平均幅（Ａ）を有する細長片を形成し、収納袋（２）内に配置され、前記平均厚さ（Ｇ）は前記平均幅（Ａ）の２０％以上であり、前記開放容易化領域（４）は、前記収納袋（２）に前記第１気密室（２０）の一方の一端に隣接する場所に配置され、前記収納袋（２）が前記開放容易化領域（４）を介して引き裂かれた時に、前記第１気密室（２０）の開放端（６）を形成し、前記第１気密室（２０）の他方の端部に隣接する収納袋（２）の領域に手で押すことで、前記小分け品（３）の一部が、徐々に押し出される
ことを特徴とする固形食品のスナックを収納するパッケージ。
【請求項２】
前記小分け品（３）は、前記収納袋（２）内に真空パックされている
ことを特徴とする請求項１記載のパッケージ。
【請求項３】
前記２枚のラミネート片（２ａ、２ｂ）は、プラスティック材料製シートからなるチューブを潰して形成される
ことを特徴とする請求項１−２のいずれか１項に記載のパッケージ。
【請求項４】
前記プラスティック材料は透明である
ことを特徴とする請求項１−３のいずれか１項に記載のパッケージ。
【請求項５】
先端（７ａ）を有する串（７）を更に有し、前記串（７）は、前記小分け品（３）から形成される細長片に並行な位置で、前記収納袋（２）の周辺領域（５）の上に重ねて接合される
ことを特徴とする請求項１−４のいずれか１項に記載のパッケージ。
【請求項６】
前記串（７）の先端（７ａ）は、前記収納袋（２）の端部より更に伸び、前記先端（７ａ）は、陳列台（１０）の支持パネル（１１）上に形成される複数の穴（１４）の内の１つの穴（１４）に挿入され、前記パッケージ（１）を陳列台（１０）の上方向に向けて支持される
ことを特徴とする請求項５に記載のパッケージ。
【請求項７】
前記収納袋（２）は、前記串（７）の先端（７ａ）が前記穴（１４）内に挿入される時は、前記陳列台（１０）の垂直後方パネル（１３）の前面でのぼり旗のようになる
ことを特徴とする請求項６に記載のパッケージ。
【請求項８】
前記串（７）は、前記串（７）と収納袋（２）に接着されるラベル（８）の手段により、前記収納袋（２）に取り付けられる
ことを特徴とする請求項５−７のいずれか１項に記載のパッケージ。
【請求項９】
前記ラベル（８）は、前記串（７）の上に重ねられ、前記収納袋（２）を包囲する
ことを特徴とする請求項８に記載のパッケージ。
【請求項１０】
前記ラベル（８）は、自己接着性のラベルである
ことを特徴とする請求項８−９のいずれか１項に記載のパッケージ。
【請求項１１】
前記開放容易化領域（４）は、前記収納袋（２）の周辺領域（５）の一方の角に、前記小分け品（３）により形成される細長片の端部に隣接する場所で切り欠きを有する
ことを特徴とする請求項１に記載のパッケージ。
【請求項１２】
前記細長片の平均厚さ（Ｇ）は前記平均幅（Ａ）の３０％以上である
ことを特徴とする請求項１に記載のパッケージ。
【請求項１３】
前記収納袋（２）は、追加の食品を収納する第２気密室（２１）を更に有し、前記第２気密室（２１）は前記第１気密室（２０）に隣接して独立して配置され、前記第１気密室（２０）と第２気密室（２１）は、前記ラミネート片（２ａ、２ｂ）の間で、前記収納袋（２）に形成され、シール・ライン（２２）で分離されている
ことを特徴とする請求項１−１２のいずれか１項に記載のパッケージ。
【請求項１４】
前記開放容易化領域（４）は、前記第２気密室（２１）に隣接する位置で、前記収納袋（２）内に配置され、前記収納袋（２）が前記開放容易化領域（４）により切り裂かれた時に、前記第２気密室（２１）に開放端部を提供する
ことを特徴とする請求項１３に記載のパッケージ。
【請求項１５】
前記第１気密室（２０）の平均厚さ（Ｇ）は、１５−４０ｍｍの間である
ことを特徴とする請求項１−１４のいずれか１項に記載のパッケージ。
【考案の詳細な説明】
【技術分野】
【０００１】
本考案は、固形食品のスナックを収納するパッケージに関し、特に、プラスティック材料製のシートで形成される収納袋内に固形食品を真空パックして収納するパッケージに関する。この固形食品は、例えば、ハムの切り身又はブロック、冷肉のブロック、チーズのブロックを含む。特に油脂を含む固形食品、油脂で浸軟される固形食品を含む。
【背景技術】
【０００２】
プラスティック材料製のフレキシブルなシートで形成される収納袋のパッケージ（開封容易化部品を具備する）内に、最適な保存状態で保存できるよう真空パックされる固形食品を市販する形態は、公知である。しかし、これの不都合な点は、パッケージの収納袋が一度開かれていまうと、そのパッケージ内に収納されていた固形食品を、品質劣化を回避するために、短期間で消費しなければならないことである。別の不都合な点は、食品をパッケージから取り出す際に、食品に含まれる油脂である脂分で手が汚れてしまうことである。この手が汚れてしまう原因は、複数個の固形食品がパッケージに沿って伸びて平坦に配置され、これにより指がパッケージ内に入ってしまうことがある為、或いは、固形食品の一部にアクセスするためにパッケージの収納袋を完全に切り裂く必要がある為である。
【考案の概要】
【考案が解決しようとする課題】
【０００３】
短期間の消費を促すために、固形食品の個別の部分を上面が開放されてるコーンに入れて市販する形態も公知である。しかしこの市販形態の不都合点は、食品がコーンからこぼれ落ちる可能性があるため安全に移送できない不便さ、食品が空気にさらされる為に中長期にわたる保存が極めて困難である点、固形食品の一部分を指でつまみ上げられるようコーンに食品が配置されているために、固形食品からの脂分で指が汚れる可能性が大きい点である。
【課題を解決するための手段】
【０００４】
本考案は、従来の問題点を解決するために、請求項１に記載のパッケージを提供する。
【０００５】
本考案が対象とする固形食品の量／大きさは、食品の流通市場で提供される大型のサイズとは対照的に、一人が一回に消費できる大きさである２５−４０グラムである。他の固形食品のより少さな量／大きさは、１２−２５グラムである。これは自動販売機用にスポット的に消費される小型のサイズに相当する。更に固形食品のより少さな量／大きさは、５−１２グラムである。これは皿で供給され消費者に容易に移送可能な小型のサイズに相当する。個別の部分を構成する固形食品の一部分は、平均厚さと平均幅を有する細長片を形成し、収納袋内に配置される。平均厚さは平均幅の２０％以上である。一実施例では、平均幅は２０ｍｍで、平均厚さは４ｍｍ以上、更には６ｍｍ以上である。しかしこれ以外の厚さ／幅を除外するものではない。
【０００６】
固形食品の個別部分を収納する気密領域（以下の実施例では、第１又は第２気密室とも称する）は、１５−４０ｍｍの平均幅を有する。これは、２本の指の指先でその間に挟んだ気密領域を押して圧力をかけた時に、この幅を指でカバーできるのが条件である。
【０００７】
本考案により、固形食品の一部分の細長片の幅と厚さの寸法とその比率は限定されているので、上記した個別部分の異なるサイズはパッケージの長さを変えて対応する。
【０００８】
それ故に、本考案のパッケージは、パッケージの長さを変ええ、内部に収納される固形食品の個別部分に適合したサイズが可能となる。
【０００９】
それ故に、大きな個別部分は、幅３ｃｍｘ長さ２５ｃｍの気密領域（それ故固形食品の細長片の平均幅は６ｍｍ以上である）内に収納される。中くらいの個別部分は、幅２．５ｃｍｘ長さ１６ｃｍの気密領域（それ故固形食品の細長片の平均幅は５ｍｍ以上である）内に収納される。小型の個別部分は、幅２．５ｃｍｘ長さ８ｃｍの気密領域（それ故固形食品の細長片の平均幅は５ｍｍ以上である）内に収納される。
【００１０】
開封容易化部品は、収納袋内に、収納袋の一端に隣接する場所で、固形食品の細長片が含まれる場所に形成される。
収納袋が開封容易化部品で引き裂かれた場合には、気密領域は開放端を有することになる。気密領域の開封容易化部品の反対側の端部に隣接する収納袋の領域を手で押すことで、固形食品の一部分は、徐々に押し出され、固形食品の脂／油で指／手が汚れることはない。
【００１１】
取り出しが容易になるのは、開放端を具備する気密領域が固形食品の脂により潤滑剤の導路として機能するからである。収納袋の領域を手で押すことと細長片の幅に比較して大きい厚さと組み合わさって、固形食品の一部を気密領域の内側に沿ってスライドしながら、開放端の方向に押し出すことができる。かくして、この固形食品の一部が、気密領域から押し出されると、直接口に入れること或いはお皿の上に取り出すことができる。
【００１２】
固形食品の細長片が厚いと、パッケージにより形成された導路内の滑り効果を低減させ、それを押し出す為にはより大きな力が必要とされる。
【００１３】
本考案の一実施例によれば、固形食品のスナックを含むパッケージは、第１気密室（第１気密領域）から独立した第２気密室（第２気密領域）を更に有しそこに追加の食品を収納する、第２気密室と第１気密室とは、隣接して２枚のラミネート片の間に形成され、同一の収納袋に形成され、シール・ラインで分離されている。
【００１４】
前記開放容易化領域は、前記収納袋に前記第１と第２の気密領域の一方の端部に隣接する場所に配置される。前記収納袋が前記開放容易化領域を介して引き裂かれた時に、２つの気密領域に、固形食品の一部が徐々に押し出される為の開放端を形成する。これにより、開放容易化領域の一回の引き裂きだけで、２つの気密領域（気密室）からこの開放端を介して同時に或いは並行してその中身を取り出せる。
【００１５】
第２の気密室内には別の種類の固形食品の細長片を入れることができる。好ましくはこの食品はシリアル・ベースの補助食品である。本考案の一実施例によれば、第２の気密室は、パン、トースト、ビスケット、ラスク等の短い細長片も収納できる。
【００１６】
串を、個別品から形成される細長い細長片に並行な位置で、前記収納袋の周辺領域の一方の上に重ねて接合することもできる。この串は、木製で尖った先端を有する。かくして固形食品の一部が収納袋から押し出され皿の上に載せられた場合は、この串で、固形食品のを突き刺すことにより、指を汚さずに取り出せる。
【００１７】
固形食品の一部の個別品（小分け品）は前記収納袋内で真空パックされる。一実施例においては、収納袋を構成する２枚のラミネート片は、透明なプラスティック材料製シートから形成されるチューブを潰して形成される。串は、前記串と収納袋に接着されるラベルの手段により、収納袋に取り付けられる。このラベルは自己接着性のラベルである。ラベルは、前記串の上に重ねられバンドを形成する収納袋を包囲する。ラベルは。絵柄／文字等の情報を有する。
【００１８】
前記串の先端は、前記収納袋の端部より更に伸びる。前記先端は、陳列台の支持パネル上に形成される複数の穴の内の１つの穴に挿入可能であり、かくして前記パッケージを陳列台の上方向に向けて支持する。
【００１９】
陳列台は、その支持台表面上に載る基礎パネルと、絵柄／文字等の情報を有する垂直後方パネルと、串が差し込まれる穴を有する支持パネルを有する。垂直後方パネルは基礎パネルの後端に連結される。支持パネルは基礎パネル上に若干傾斜して載せられ、基礎パネルの前面に連結され、垂直後方パネルに当たって傾斜させるか、嵌め込まれる。
【００２０】
前記串の先端が陳列台の基礎パネルの穴内に挿入された時は、収納袋は前記陳列台の垂直後方パネルの前面でのぼり旗のようになり、遠くからでもはっきりと見ることができる。
【００２１】
前記開放容易化領域は、前記収納袋の周辺領域の一方の角に、個別品（小分け品）により形成される細長片の端部に隣接する場所で切り欠きを有する。別の構成として或いはそれに追加して、前記開放容易化領域は、収納袋の上に細長片の端部が隣接する位置に形成された切れやすいラインを有してもよい。前記固形食品は、ハムの切り身又はブロック、イベリア豚の丸状物／プレッサ／チョリーゾ／モルコン／ペッパローニから選択されるイベリア豚の冷肉の組み合わせ、半固形チーズ、固形チーズ、高価なチーズから選択されるチーズの組み合わせからなるグループから選択される。
【図面の簡単な説明】
【００２２】
【図１】本考案の一実施例による固形食品のスナックを収納するパッケージの正面図。
【図２】図１のパッケージの側面図。
【図３】本考案の他の実施例によるパッケージの正面図。
【図４】図３のパッケージを複数個陳列台の上に配置した状態の斜視図。
【図５】固形食品のスナックをパッケージの収納袋から指で押し出す状態を表す正面図。
【図６】本考案の他の実施例による、固形食品のスナックを収納する第１気密容器とこの第１気密容器に並行に配置される第２気密容器を収納したパッケージの正面図。
【図７】図６のパッケージより短いパッケージの正面図。
【図８】図７のパッケージより短いパッケージの正面図。
【図２】
【考案を実施するための形態】
【００２３】
図１、２において、本考案の一実施例によれば、固形食品のスナックを収納するパッケージ１は、固形食品の一部である小分け品３を収納袋２内に形成される気密領域内に収納する。この収納袋２は、２枚のフレキシブルな透明材料製のプラスチック材料からなるラミネート片２ａ、２ｂから形成される。このラミネート片２ａ、２ｂは小分け品３の両側に配置される。
【００２４】
小分け品３は、２５−４０ｇ程度の固形食品の一部分である。
前記固形食品は、ハムの切り身又はブロック、イベリア豚の丸状物／プレッサ／チョリーゾ／モルコン／ペッパローニから選択されるイベリア豚の冷肉の組み合わせ、半固形チーズ、固形チーズ、高価なチーズから選択されるチーズの組み合わせからなるグループから選択される。
【００２５】
２枚のラミネート片２ａ、２ｂは、プラスチック材料製のシートから形成されるチューブを潰すことにより得られる。このラミネート片２ａ、２ｂは、周辺領域５で互いに接着され、小分け品３を囲んで収納する気密領域を形成する。この小分け品３は収納袋２内に真空パックされる。
【００２６】
小分け品３を構成する固形食品の一部は、細長い細長片を構成し収納袋２内に配置／収納される。この収納袋２に入る細長片３は、平均幅Ａ（図１）と平均厚さＧ（図２）を有する。平均厚さＧは平均幅Ａより大きい。好ましくは平均厚さＧは平均幅Ａの３０％以上である。収納袋２は開封容易化部品４を有する。この開封容易化部品４は、収納袋２の周辺領域５の一角に、収納袋２内の気密領域（小分け品３の細長片を含む）の端部に隣接した場所で切り欠きを有する。
【００２７】
図５に示すように、収納袋２は、開封容易化部品４で手で切り裂くことにより、小分け品３が収納されている気密領域に開放端６を提供する。小分け品３を構成する固形食品の一部は、収納袋２の領域（小分け品３の端部に隣接し開放端６の反対側の領域）に手で圧力を加えることにより、小分け品３を開放端６を通して気密領域から、固形食品の油で指を汚さずに、取り出すことができる。
【００２８】
かくして、気密領域は、開放端６が形成されると、固形食品自身の油により滑らかになる案内路として機能する。収納袋２にかかる手による圧力は、小分け品３の平均幅Ａより大きい平均厚さＧと組み合わされ、小分け品３を構成する固形食品の一部を気密領域の内部に沿って開放端６の方向に徐々にスライドさせ、小分け品３を開放端６を通して収納袋２から取り出すことができるようになる。固形食品の一部は、収納袋２の気密領域を出ると口で直接取り出すこともできし、或いは皿等の上に盛ることもできる。
【００２９】
図３において、本考案のパッケージ１は、固形食品を一部である小分け品３と尖った先端７ａを有する串７とを有する。この収納袋２と小分け品３は、図１、２と同一の構成を有する。
【００３０】
串７は収納袋２の周辺領域５の一方に重ねられる。串７は、小分け品３で形成される細長片に並行に串７と収納袋２に接着されるラベル８の手段により、収納袋２に取り付けられる。より具体的には、串７の上に重ねられるラベル８は、収納袋２を包囲する自己接着性のバンドを形成するラベルである。ラベル８は図柄／文字等の情報を含む外表面を有する。
【００３１】
ラベル８を破ることにより、串７を取り出し、固形食品の油で指を汚さずに、小分け品３の一部に突き刺し、皿の上に盛ったり、直接口に放り込むこともできる。
【００３２】
図３，４において、串７は先端７ａまでの部分を有し、即ち串７を長くして、収納袋２の端部から、好ましくは開封容易化部品４の反対側端部から突き出すことができる。串７が収納袋２に取り付けられた場合は、串７の先端７ａは、陳列台１０の支持パネル１１の上に形成される複数の１４の内の１つの穴１４に刺される。これにより、パッケージ１を陳列台１０の垂直方向部分に保持できる。
【００３３】
図４の陳列台１０は、支持パネル１１と、基礎パネル１２と、垂直後方パネル１３とを有する。これらは１つの段ボールから形成される。支持パネル１１と、基礎パネル１２と、垂直後方パネル１３とは、ヒンジを構成する折り目１５で連結される。陳列台１０は、折り目１５で使用状態から収納状態へと折り曲げ可能である。
【００３４】
基礎パネル１２は、カウンター、机等の支持台表面上に配置される。垂直後方パネル１３は、絵又は文字による情報が記載される表面と裏面を有し、使用状態においては、基礎パネル１２の後端部に垂直状態で連結される。支持パネル１１は、基礎パネル１２の上で若干傾斜した状態で配置される。支持パネル１１は、基礎パネル１２の前端部に連結される第１端と垂直後方パネル１３に対し傾斜した第２端を有する。突起１６が、支持パネル１１のエッジ（前記第２端に対応する）から伸びる。突起１６は、垂直後方パネル１３上に形成される開口１７内に挿入され、固定される。陳列台１０の構成と配置はこれに限定されない。
【００３５】
穴１４は、全部で１１０個の穴１４を形成する１０ｘ１１のマトリックスに従って、支持パネル１１の上に配置される。かくして陳列台１０は最大１１０個のパッケージ１を保持できる。穴１４の数は単なる一例である。収納袋２が陳列台１０の上にのぼり旗のように配置される。串７の先端７ａが陳列台１０の支持パネル１１の穴１４に挿入されると、ラベル８が、陳列台１０の垂直後方パネル１３の前ではっきり見ることができる。パッケージ１は、それらを引き抜くことにより、陳列台１０から簡単に取り外すことができる。かくして顧客は陳列台１０からパッケージ１を自身で選択しそれを買うことができる。
【００３６】
図６において、固形食品を含む第１気密室２０とそれに並列にさらに第２気密室２１が、同一の収納袋２内に独立して形成される。これは、固形食品を含む同じ２枚のラミネート片２ａ、２ｂを周辺領域５で気密で一体にすることにより得られる。２つの気密室２０，２１は、シール・ライン２２で分けられている。
【００３７】
追加の食品の細長片を形成する第２気密室２１の内側に、整合して小さなビスケットの形状のラスクを含むことができる。
【００３８】
固形食品を含む第１気密室２０の端部の隣に配置される開封容易化部品４は、第２気密室２１の端部の隣にも配置される。かくして、開封容易化部品４を用いた収納袋２への開口、例えば、収納袋２を切り裂くことにより、気密室２０，２１の両方に同時にアクセスできる。かくして、同じ収納袋２から、気密室２０，２１の一方或いは他方のいずれかに含まれた食品を同時に或いは交互に食べることができる。
【００３９】
以上の説明は、本考案の一実施例に関するもので、この技術分野の当業者であれば、本考案の種々の変形例を考え得るが、それらはいずれも本考案の技術的範囲に包含される。実用新案登録請求の範囲の構成要素の後に記載した括弧内の番号は、図面の部品番号に対応し、考案の容易なる理解の為に付したものであり、考案を限定的に解釈するために用いてはならない。また、同一番号でも明細書と実用新案登録請求の範囲の部品名は必ずしも同一ではない。これは上記した理由による。用語「又は」に関して、例えば「Ａ又はＢ」は、「Ａのみ」、「Ｂのみ」ならず、「ＡとＢの両方」を選択することも含む。特に記載のない限り、装置又は手段の数は、単数か複数かを問わない。
【符号の説明】
【００４０】
１：パッケージ
２：収納袋
２ａ、２ｂ：ラミネート片
３：小分け品
４：開封容易化部品
５：周辺領域
６：開放端
７：串
７ａ：先端
８：ラベル
１０：陳列台
１１：支持パネル
１２：基礎パネル
１３：垂直後方パネル
１４：穴
１５：折り目
１６：突起
１７：開口
２０：第１気密室
２１：第２気密室
２２：シール・ライン
【図１】
0003215949.tif 000003
【図２】
0003215949.tif 000004
【図３】
0003215949.tif 000005
【図４】
0003215949.tif 000006
【図５】
0003215949.tif 000007
【図６】
0003215949.tif 000008
【図７】
0003215949.tif 000009
【図８】
0003215949.tif 000010
【手続補正書】
【提出日】平成30年3月14日(2018.3.14)
【手続補正２】
【補正対象書類名】明細書
【補正対象項目名】００２２
【補正方法】変更
【補正の内容】
【００２２】
【図１】本考案の一実施例による固形食品のスナックを収納するパッケージの正面図。
【図２】図１のパッケージの側面図。
【図３】本考案の他の実施例によるパッケージの正面図。
【図４】図３のパッケージを複数個陳列台の上に配置した状態の斜視図。
【図５】固形食品のスナックをパッケージの収納袋から指で押し出す状態を表す正面図。
【図６】本考案の他の実施例による、固形食品のスナックを収納する第１気密容器とこの第１気密容器に並行に配置される第２気密容器を収納したパッケージの正面図。
【図７】図６のパッケージより短いパッケージの正面図。
【図８】図７のパッケージより短いパッケージの正面図。